(57)【要約】【課題】ネットワークに接続された複数のプリンターのステータスをひとつの表示部で同時に一目で閲覧可能で、ステータスの確認作業を大幅に向上可能なプリンターのステータスアイコン表示方法を提供すること。【解決手段】それぞれのプリンターのステータスを確認して、その状況を取得し、すべてのプリンターのステータスを一括して表示部９に出力することに着目したもので、情報処理装置から各プリンターに対してステータス確認指示を出力することにより、各プリンターにおいて確認したそれぞれのステータスを取得し、各プリンターのそれぞれのステータスを、それぞれのステータスに対応したそれぞれのステータスアイコン２０により表示部９に一覧表示することを特徴とする。【選択図】図３
2008250761.tif 000002
【特許請求の範囲】
【請求項１】
情報処理装置を含むネットワークシステムに接続した複数のプリンターのそれぞれのステータスをこの情報処理装置の表示部に表示するためのプリンターのステータスアイコン表示方法であって、
前記情報処理装置から前記各プリンターに対してステータス確認指示を出力することにより、前記各プリンターにおいて確認した前記それぞれのステータスを取得し、
前記各プリンターの前記それぞれのステータスを、前記それぞれのステータスに対応したそれぞれのステータスアイコンにより前記表示部に一覧表示することを特徴とするプリンターのステータスアイコン表示方法。
【請求項２】
前記それぞれのステータスは、電源オフ、通信不可、用紙なし、紙詰まり、ヘッドオープン、印字エラー、印字待機中、あるいは、印字中、のいずれかであることを特徴とする請求項１記載のプリンターのステータスアイコン表示方法。
【請求項３】
前記それぞれのステータスのうち印字待機中の前記プリンターについては、そのプリンターを特定可能なプリンターアイコンの表示を行なうことを特徴とする請求項１記載のプリンターのステータスアイコン表示方法。
【発明の詳細な説明】
【技術分野】
【０００１】
本発明はプリンターのステータスアイコン表示方法にかかるもので、とくにネットワークに接続された複数のプリンターのそれぞれのステータスを表示するためのプリンターのステータスアイコン表示方法に関するものである。
【背景技術】
【０００２】
従来から、プリンターのステータス（現在の状態）の種類としては、印字エラー、用紙なし、印字中、・・・などがあるが、プリンターを制御するパソコンなどのコンピューターにおいて、そのプリンタードライバーによりその表示部にこれらのステータスを表示可能としている。
しかしながら、従来のステータス表示方法は、各プリンターごとにそれぞれのステータスを表示するものであり、上記コンピューターその他の情報処理装置を含むネットワークに複数のプリンターを接続しているような場合には、それぞれのプリンターのステータスを確認するために、プリンターごとにステータス表示の指示を出力しなければならず、能率が悪いという問題がある。
さらに、これらのステータスを情報処理装置の表示部において多重的に表示する方式では、作業が煩雑となってその表示内容を閲覧しにくく、作業効率が低下するという問題がある。
【０００３】
【特許文献１】特開２００６−３０９７４１号公報
【発明の開示】
【発明が解決しようとする課題】
【０００４】
本発明は以上のような諸問題にかんがみなされたもので、ネットワークに接続された複数のプリンターのステータスを一目で確認することができるプリンターのステータスアイコン表示方法を提供することを課題とする。
【０００５】
また本発明は、ネットワークに接続された複数のプリンターのステータスをひとつの表示部で同時に閲覧可能なプリンターのステータスアイコン表示方法を提供することを課題とする。
【０００６】
また本発明は、複数のプリンターのステータスを確認する作業を大幅に向上可能なプリンターのステータスアイコン表示方法を提供することを課題とする。
【課題を解決するための手段】
【０００７】
すなわち本発明は、それぞれのプリンターのステータスを確認して、その状況を取得し、すべてのプリンターのステータスを一括して表示部に出力することに着目したもので、情報処理装置を含むネットワークシステムに接続した複数のプリンターのそれぞれのステータスをこの情報処理装置の表示部に表示するためのプリンターのステータスアイコン表示方法であって、上記情報処理装置から上記各プリンターに対してステータス確認指示を出力することにより、上記各プリンターにおいて確認した上記それぞれのステータスを取得し、上記各プリンターの上記それぞれのステータスを、上記それぞれのステータスに対応したそれぞれのステータスアイコンにより上記表示部に一覧表示することを特徴とするプリンターのステータスアイコン表示方法である。
【０００８】
上記それぞれのステータスは、電源オフ、通信不可、用紙なし、紙詰まり、ヘッドオープン、印字エラー、印字待機中、あるいは、印字中、のいずれかであることができる。
【０００９】
上記それぞれのステータスのうち印字待機中の上記プリンターについては、そのプリンターを特定可能なプリンターアイコンの表示を行なうことができる。
【発明の効果】
【００１０】
本発明によるプリンターのステータスアイコン表示方法においては、情報処理装置から各プリンターに対してステータス確認指示を出力し、各プリンターにおいて確認したそれぞれのステータスに対応したステータスアイコンにより表示部に一覧表示するようにしたので、各プリンターのステータスを一画面で同時に、かつ一目で確認することができ、作業効率を大幅に向上させることができる。
【発明を実施するための最良の形態】
【００１１】
本発明は、それぞれのプリンターのステータスを確認して、その状況を取得し、すべてのプリンターのステータスを一括して表示部に出力するようにしたので、確認作業および印字作業を円滑に実行可能とするプリンターのステータスアイコン表示方法を実現した。
【実施例】
【００１２】
つぎに本発明の実施例によるプリンターのステータスアイコン表示方法を図１ないし図３にもとづき説明する。
図１は、プリンターのステータスアイコン表示方法を実行するネットワークシステム１の概略説明図であって、ネットワークシステム１は、複数のパソコン２と、複数のプリンター３と、これらを相互に接続するＬＡＮその他のネットワーク４と、を有する。
【００１３】
各パソコン２はそれぞれ、ＣＰＵなどの制御部５と、ＲＯＭ６と、ＲＡＭ７と、キーボード、マウスやタッチパネルなどの入力部８と、ＣＲＴやＬＣＤなどの表示部９と、ＨＤやＦＤなどの記憶部１０と、インターフェース１１と、を有する。
【００１４】
各プリンター３はそれぞれ、ＣＰＵなどの制御部１２と、ＲＯＭ１３と、ＲＡＭ１４と、キーボードやタッチパネルなどの入力部１５と、ＣＲＴやＬＣＤなどの表示部１６と、ＨＤなどの記憶部１７と、印字部１８と、インターフェース１９と、を有する。
【００１５】
図２は、プリンターのステータスアイコン表示方法を実行するフローチャート図であって、ステップＳ１において、パソコン２においてその表示部９の画面を見ながら、キーボード、マウスあるいはタッチパネルなどの入力部８により一覧表示指示を入力すると、制御部５は、各プリンター３に対してステータス確認指示信号を出力する。
ステップＳ２において、各プリンター３は、その印字部１８の状況（ステータス）を監視し、そのデータをネットワーク４を介してパソコン２に逐次出力する。
ステップＳ３において、パソコン２は、各プリンター３のステータスに関するデータを取得し、ＲＡＭ７に一時的に保存する。
ステップＳ４において、パソコン２は、その表示部９にすべてのプリンター３のステータスをステータスアイコン２０により一覧表示する。
上述のステップを繰り返し、各プリンター３の最新のステータスを表示部９に一覧表示するものである。
【００１６】
図３は、表示部９に一覧表示したそれぞれのプリンター３のステータスを示す説明図であって、プリンター３のステータスとしては、電源オフ、通信不可、用紙なし、紙詰まり、ヘッドオープン、印字エラー、印字待機中（印字可能な状態）、あるいは、印字中、などがある。
図示のように、すべてのプリンター３について、ステータスアイコン２０により、それぞれのステータスを表示部９のたとえばＣＲＴやＬＣＤによる画面上に表示している。
ステータスアイコン２０は、それぞれのステータスすなわち、電源オフ、通信不可、用紙なし、紙詰まり、ヘッドオープン、印字エラー、印字待機中、印字中、などに対応した任意のデザインを採用可能である。
たとえば、あるプリンター３（図中、「ＰＲ１」と表示したプリンター）については、電源がオフ状態であることをステータスアイコン２０が示している。
図中、「ＰＲ２」と表示したプリンター３については、通信が不可状態であることをステータスアイコン２０が示している。
図中、「ＰＲ３」と表示したプリンター３については、用紙なしの状態であることをステータスアイコン２０が示している。
図中、「ＰＲ４」と表示したプリンター３については、紙詰まりの状態であることをステータスアイコン２０が示している。
図中、「ＰＲ５」と表示したプリンター３については、ヘッド（たとえばサーマルヘッド、図示せず）がプラテンローラーから開放されているオープン状態であることをステータスアイコン２０が示している。
図中、「ＰＲ６」と表示したプリンター３については、何らかの原因で印字エラーの状態であることをステータスアイコン２０が示している。
図中、「ＰＲ７」と表示したプリンター３については、印字待機中で直ちに印字を開始可能な状態であることをステータスアイコン２０が示している。
図中、「ＰＲ８」と表示したプリンター３については、印字中の状態であることをステータスアイコン２０が示している。
【００１７】
ただし、それぞれのステータスのうち印字待機中のプリンター３（たとえば図３中、「ＰＲ７」と表示しているプリンター）については、そのプリンター３の種類や外形を特定可能なプリンターアイコン２１の表示を追加して行なうこととし、直ちに印字が可能なプリンター３がどのタイプのものかを判別しやすくしている。プリンターアイコン２１としては、当該プリンター３の外形を描いたもの、写真に写したもの、その他、当該プリンター３であると容易に識別可能なものが望ましい。
なお、上記印字待機中のプリンター３（図３中の「ＰＲ７」）については、印字待機中であることを示すステータスアイコン２０の代わりにプリンターアイコン２１そのものを表示して代用することもできる。
【００１８】
かくして、すべてのプリンター３のステータスについて、一覧表示指示を出力したパソコン２の表示部９に一覧表示を行なうことができ、どのプリンター３を直ちに使用可能かはもちろん、それぞれのプリンター３についての状態を全体として把握することができるので、作業能率を向上させることができる。
【００１９】
なお、印字可能な状態ないし印字待機中のプリンター３については、表示部９（表示画面）上で、他の使用不可能な状態のプリンター３とは区別し易くするために、表示画面上で所定の部位に区分けしてそのプリンター３の表示（「ＰＲ１」・・・など）とともにステータスアイコン２０を位置させること、あるいは、そのステータスアイコン２０を色分け、もしくはブリンクさせること、などの処理を行うようにすることもできる。
【図面の簡単な説明】
【００２０】
【図１】本発明の実施例によるプリンターのステータスアイコン表示方法を実行するネットワークシステム１の概略説明図である。
【図２】同、プリンターのステータスアイコン表示方法を実行するフローチャート図である。
【図３】同、表示部９に一覧表示したそれぞれのプリンター３のステータスを示す説明図である。
【符号の説明】
【００２１】
１  ネットワークシステム（図１）
２  パソコン（情報処理装置）
３  プリンター
４  ネットワーク
５  パソコン２の制御部
６  ＲＯＭ
７  ＲＡＭ
８  入力部
９  表示部
１０  記憶部
１１  インターフェース
１２  プリンター３の制御部
１３  ＲＯＭ
１４  ＲＡＭ
１５  入力部
１６  表示部
１７  記憶部
１８  印字部
１９  インターフェース
２０  ステータスアイコン（図３）
２１  プリンターアイコン（図３）
【図１】
2008250761.tif 000003
【図２】
2008250761.tif 000004
【図３】
2008250761.tif 000005